(57)【要約】  無線通信ネットワーク（１００）で使用するための方法であって、情報がフレーム構造により送られ、各フレームが、複数のサブフレームを含み、あるグループ内での少なくとも２つの無線通信端末のグループ分けと、通信フレームを構成するすべてのサブフレームより少ないサブフレームへのグループの割当てと、このグループへの１つまたは複数の割り当てられたサブフレームの無線リソース割当て制御チャネルの割当てとを含む。制御チャネルは、このグループの１つまたは複数の端末に、無線リソースを割り当てるために使用される。
2009510975.tif 000002
【特許請求の範囲】
【請求項１】
情報が複数のサブフレームを有するフレーム内で送信される無線通信インフラストラクチャ・エンティティで使用するための方法であって、
第１のグループ内で、少なくとも２つの無線通信端末をグループ分けするステップと、
前記第１のグループを、第１のフレームを構成するすべてのサブフレームより少ないサブフレームに割り当てるステップと、
少なくとも１つの割り当てられたサブフレームの第１の無線リソース割当て制御チャネルを、前記第１のグループ、すなわち、フレームの繰り返しシーケンス内のフレーム内のサブフレームに割り当てるステップと、を含む方法。
【請求項２】
前記制御チャネル内に、無線リソース割当て情報を含む前記第１のグループのすべての端末にではなくて、少なくとも１つの端末に無線リソースを割り当てる請求項１に記載の方法。
【請求項３】
無線リソースの異なる部分を、前記第１のグループの対応する端末に同時に割り当てる請求項１に記載の方法。
【請求項４】
前記端末に関連する無線チャネル状態に基づいて、前記第１のグループ内の前記端末をグループ分けする請求項１に記載の方法。
【請求項５】
端末動作特性に基づいて、前記第１のグループ内の前記端末をグループ分けする請求項１に記載の方法。
【請求項６】
前記第１の制御チャネルが、無線リソースが割り当てられた少なくとも１つの端末を識別する無線リソース割当て情報を含み、
前記端末が識別される順番に基づいて、予め規定した無線リソースを前記少なくとも１つの端末に割り当てる請求項１に記載の方法。
【請求項７】
前記第１の制御チャネルが、無線リソースが割り当てられた少なくとも１つの端末を識別する無線リソース割当て情報を含み、
予め規定した無線リソースを、前記無線リソース割当て情報内の前記少なくとも１つの端末に割り当てる請求項１に記載の方法。
【請求項８】
前記第１のグループ内の各端末をビットマップ内の位置と関連付け、
特定の端末に関連する前記ビットマップの各位置に、対応する端末に無線リソースが割り当てられたか否かを表示する請求項１に記載の方法。
【請求項９】
一意の予め規定した無線リソースを前記ビットマップ内の各位置と関連付け、
前記一意の予め規定した無線リソースを、前記端末に無線リソースが割り当てられたことを表示することにより、前記端末に割り当てる請求項８に記載の方法。
【請求項１０】
無線リソースを、前記制御チャネル内に無線リソース割当て情報を含む前記第１のグループの少なくとも１つの端末に割り当て、
前記無線リソース割当て情報が、割り当てられた前記無線リソースが２つ以上のサブフレーム内に位置することを表示する請求項１に記載の方法。
【請求項１１】
無線リソースを、前記制御チャネル内に無線リソース割当情報を含む前記第１のグループの少なくとも１つの端末に割り当てることを含み、
前記無線リソース割当て情報が、前記割り当てられた無線リソースが、前記制御チャネルが関連する前記サブフレームとは異なるサブフレーム内に位置することを表示する請求項１に記載の方法。
【請求項１２】
前記第１のグループの少なくとも１つの端末により、前の送信のための制御チャネル内でフィードバック情報を提供する請求項１に記載の方法。
【請求項１３】
前記第１のグループからの少なくとも１つの端末を異なるグループに再度割り当てる請求項１に記載の方法。
【請求項１４】
前記第１の制御チャネルが、無線リソースが割り当てられた少なくとも１つの端末を識別するグループ識別を含む請求項１に記載の方法。
【請求項１５】
無線通信端末で使用するための方法であって、
無線通信インフラストラクチャにより、前記端末が割り当てられるグループに関連する制御チャネル内の情報に基づいて、前記端末への無線リソースの割当てを決定し、
前記制御チャネル内の情報に基づいて、前記端末に対する無線リソース・マッピングを決定する方法。
【請求項１６】
どのフレームおよび対応するサブフレームが無線リソース割当てを監視するのかを示すリソース割当て制御チャネル情報を受信する請求項１５に記載の方法。
【請求項１７】
リソース割当て制御チャネル情報の受信が、前記サブフレーム内のサブキャリヤ割当てを受信し、前記サブキャリヤが、前記端末により監視される制御チャネル無線リソースを識別する請求項１６に記載の方法。
【請求項１８】
リソース割当て制御チャネル情報の受信が、アップリンク無線リソース割当て制御チャネル情報、またはダウンリンク無線リソース割当て制御チャネル情報、またはフィードバック無線リソース割当て制御チャネル情報のうちの少なくとも１つを受信する請求項１６に記載の方法。
【請求項１９】
異なるグループへの前記端末の再度の割当てを要求する請求項１６に記載の方法。
【請求項２０】
前記端末に対する無線リソース・マッピングの決定が、前記端末への無線リソースの割当ての入手を含む請求項１６に記載の方法。
【請求項２１】
無線リソースの割当ての入手が、無線リソースが割り当てられた場合に、前記端末が識別される順序に基づいて、予め定義した無線リソースの入手を含む請求項２０に記載の方法。
【請求項２２】
無線リソースの割当ての入手が、前記端末が割り当てられた特定のビットマップ位置内の情報に基づいて、予め規定した無線リソースの入手を含む請求項２０に記載の方法。
【請求項２３】
無線リソース・スケジューリングのための遠隔スケジューリング・エンティティにより、前記無線通信端末が割り当てられた前記グループに関連するグループ識別を受信する請求項１５に記載の方法。
【請求項２４】
前記グループ識別により無線リソース情報を決定する請求項２３に記載の方法。
【請求項２５】
前記グループ識別によりデータ・チャネル情報を決定する請求項２３に記載の方法。
【請求項２６】
情報が複数のサブフレームを有するフレームで送られる無線通信インフラストラクチャ・エンティティで使用するための方法であって、
あるグループ内への少なくとも２つの無線通信端末のグループ分けと、
前記グループへの第１の無線リソース割当て制御チャネルである第１の制御チャネルの割当てと、
前記第１の制御チャネルと、第１のフレームを構成するすべてのサブフレームより少ないサブフレームとの関連付けとを含む方法。
【請求項２７】
情報が複数のサブフレームを含むフレームで送られる無線通信インフラストラクチャ・エンティティで使用するための方法であって、
あるグループ内での少なくとも２つの無線通信端末のグループ分けと、
前記グループの前記少なくとも２つの端末の共通の物理的サブフレーム内の対応する無線リソースの割当てと、を含む方法。
【請求項２８】
前記物理的サブフレームの無線リソース割当て制御チャネルを、前記グループの前記少なくとも２つの端末に割り当てる請求項２７に記載の方法。
【請求項２９】
情報が複数のサブフレームを含むフレームで送られる無線通信インフラストラクチャで使用するための方法であって、
第１のグループ内での少なくとも１つの無線通信端末のグループ分けと、第２のグループ内での少なくとも１つの別の無線通信端末のグループ分けと、
前記第１および第２のグループの、少なくとも１つの共通のサブフレームであるが、共通のフレームを構成するすべてのサブフレームより少ないサブフレームへの割当てと、
前記少なくとも１つの共通のサブフレームの制御チャネルの、前記第１および第２のグループへの割当てと、を含む方法。
【請求項３０】
前記第１のグループ内での少なくとも２つの無線通信端末のグループ分けと、前記第２のグループ内での少なくとも２つの別々の無線通信端末のグループ分けとを行う請求項２９に記載の方法。
【発明の詳細な説明】
【技術分野】
【０００１】
本開示は無線通信に関し、特に、無線通信システムでの移動端末のスケジューリングおよびその方法に関する。
【背景技術】
【０００２】
無線通信システムにおいては、音声およびデータ・サービス、システム情報、制御等に対するシグナル伝達に関するオーバヘッドを低減することが望ましい。従来のＧＳＭおよびＵＭＴＳシステムの場合には、専用のシグナル伝達を介してベアラを確立することができる。ベアラは、通話中のチャネルに関連する、例えば、タイムスロット、周波数、コード等のような無線パラメータを規定する。例えば、音声通信の場合には、専用チャネルが各ユーザに割り当てられる。高速ダウンリンク・パケット・アクセス（ＨＳＤＰＡ：Ｈｉｇｈ  Ｓｐｅｅｄ  Ｄｏｗｎｌｉｎｋ  Ｐａｃｋｅｔ  Ａｃｃｅｓｓ）システムの場合には、トランスポート・フォーマットおよび変調／符号化パラメータ（ＴＦＲＩ）が、共通制御チャネル上の専用制御シグナル伝達により供給される。この場合、共通制御チャネルもユーザに割り当てられたコード・チャネルをシグナル伝達する。
【０００３】
ある種のデータ専用（ＤＯ）システムの場合には、音声はＩＰを通して供給される（ＶｏＩＰ）。ハイブリッド自動反復要求（ＨＡＲＱ）誤り訂正スキームおよび小さいパケット・サイズを使用することにより、ＶｏＩＰトラヒックのためのこのようなシステムが改善されることは周知である。ＶｏＩＰユーザは、データ・ユーザと同じく、改善されたリンク適合および統計的多重化の利点を有しているが、音声パケット・サイズが小さいために、サービスを受けることができるユーザが著しく増大すると、システムの制御およびフィードバック機構に負担をかける。このことは、例えばデータ・パケットと比較すると、所与のフレーム内では３０倍の音声パケットを供給することができるので容易に想定することができる。通常は、データの場合には約１５００バイトが使用され、音声の場合には約４０〜５０バイトが使用される。しかし、現在のリソース割当ておよびチャネル品質フィードバックおよび確認応答機構は、このような多数の割当てを処理するようには設計されていない。
【０００４】
８０２．１６ｅシステムの場合には、リソース割当てのために必要な割当てと同じ数の割当てを含むように拡張している伸縮自在の制御チャネル（ｔｅｌｅｓｃｏｐｉｎｇ  ｃｏｎｔｒｏｌ  ｃｈａｎｎｅｌ）を使用することは周知である。しかし、このような拡張機構は、フィードバックを解決しないし、全ダウンリンクが制御情報のために消費されるという事実を解決しない。もう１つの緩和機構は、特定のユーザに対する送信のためにいくつかの音声パケットを一緒にグループ分けすることである。都合の悪いことに、この種のパッケージング機構は、送信が受信されない場合、音声の品質に悪影響を与える恐れがある。何故なら、長い周期の音声が失われるか破損するからである。
【発明の開示】
【発明が解決しようとする課題】
【０００５】
それ故、制御およびフィードバック・オーバヘッドを低減する一方で、サポートを受けるＶｏＩＰユーザの数を増大する必要がある。パケット・ベースのシステムの場合には、「データ」という用語は、任意のサービス、音声またはデータに対するペイロード情報を意味する。
【課題を解決するための手段】
【０００６】
添付の図面を参照しながら、本発明の下記の詳細な説明を読めば、通常の当業者であれば、本発明の種々の態様、機能および利点をよりよく理解することができるだろう。理解し易くするために図面は簡略化してあり、縮尺は必ずしも正確なものではない。
【発明を実施するための最良の形態】
【０００７】
図１は、対応する領域またはセルラ・エリアにより、無線端末１０２に音声および／またはデータ・サービスを含む無線通信サービスを提供する複数の基地トランシーバ局１１０を備える無線デジタル通信システム１００である。基地トランシーバ局は、またシステムのタイプにより「ノードＢ」のような他の名前でも呼ばれ、コントローラ１２０および図示していない他のエンティティと通信することができるように結合している。図１においては、各基地トランシーバ局は、ネットワーク内の無線通信端末間の無線リソース・スケジューリングのためのスケジューリング・エンティティ１１２を含む。例示としての通信システムは、開発中のユニバーサル・モバイル・テレコミュニケーション・システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）ネットワーク、進化したＥ−ＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）ネットワーク、および他のＯＦＤＭベースのネットワークを含むが、これらに限定されない。
【０００８】
従来の回線交換ドメインによる音声のサポートとは対照的に、パケット・ドメインによる音声サービスの配信をサポートするために、Ｅ−ＵＴＲＡおよび他の通信プロトコルが現在開発中である。それ故、共有無線チャネルを通して音声トラヒックをサポートするスキームに関心が寄せられ、この場合、複数のユーザが無線インターネットの時間および周波数を共有する。Ｅ−ＵＴＲＡにより容量を有意に増大する目的で、音声トラヒックを収容するために、効率的な無線リソース割当てスキームが必要になるものと思われる。データ・アプリケーションを含むこれらおよび他の用途の場合には、一般に、ネットワークのところでスケジューラに柔軟性をもたせながら、制御シグナル伝達・オーバヘッドを最小限度に低減することが望ましい。一般的な意味で、パケット・ベースの送信により任意のサービスを配信するために、共有チャネルに依存する広帯域無線システムに適用することができる複数の端末に効率的にリソース割当ておよび関連する制御チャネル情報をシグナル伝達するために機構を定義することが有用である。
【０００９】
図２は、無線デジタル通信システムで通信するのに役に立つ無線フレーム２００のシーケンスである。図２の場合には、フレーム・シーケンスは、一般に、複数のフレーム２１０、２２０、２３０を有する。この場合、各フレームは、複数のサブフレームを有する。例えば、フレーム２１０は、制御チャネル部分２１４内のリソース割当て制御チャネル部分を有するサブフレーム２１２、およびデータ・チャネル部分２１６を有する。ある実施形態の場合には、フレームは、フレームの繰り返しシーケンスを形成し、その場合、繰り返しシーケンスは、周期的または非周期的繰り返しシーケンスであってもよい。
【００１０】
図３は、リソース割当て制御部分３１０およびデータ部分３２０を含むサブフレーム３００の詳細図である。リソース割当て制御部分３１０は、他の情報の他にダウンリンク・リソース割当て情報３１２、アップリンク・リソース割当て情報３１４、およびフィードバック情報３１６を含む。フィードバック情報は、以下にさらに説明するように、上りおよび／または下り通信に関連することができる。
【００１１】
一実施形態の場合には、無線通信システムのスケジューラまたは他のインフラストラクチャは、無線通信端末を１つまたは複数のグループにグループ分けする。一実施形態の場合には、端末は、例えば、とりわけ、端末が報告したチャネル品質情報、端末が報告したドップラー、サービスを提供しているセルからの距離のような端末に関連する無線チャネル条件に基づいてグループ分けされる。他の実施形態の場合には、端末は、共通通信セッションへの参加の他に、端末動作特性に基づいてグループ分けされる。例示としての端末動作特性は、他の考慮事項の他に、端末の電力ヘッドルーム、またはマクロダイバーシティ考慮事項、端末能力、端末のサービス、コーデック・レートを含む。端末のグループ分けは、これらの組合せおよび他の詳細には開示していない基準に基づいて決めることもできる。
【００１２】
通常、複数の端末が対応するグループに割り当てられる。端末は２つ以上のグループに割り当てることができる。また、例えば、グループ分けに対する基準として使用する変化する条件に基づいて、端末をあるグループから異なるグループに再度割当てることもできる。また、端末は、異なるグループへの再割当てを要求することもできる。
【００１３】
ネットワーク・エンティティは、通常、１つまたは複数の制御チャネルを、無線リソース割当てのために各グループに割り当てる。本明細書においては、無線リソース割当てのために使用する制御チャネルを、他のタイプの制御チャネルから区別するために、リソースまたは無線リソース割当て制御チャネルと呼ぶ。通常、複数のグループが存在する場合には、各グループは、異なる制御チャネルまたはそれに割り当てられた制御チャネルの異なる組合せを有する。それ故、一実施形態の場合には、第１の制御チャネルは、第１のグループに割り当てられ、第２の制御チャネルは、第２のグループに割り当てられる。
【００１４】
ネットワーク・エンティティは、グループ内の端末にリソース割当て制御チャネル情報を送信する。この場合、制御チャネル情報は、グループ内の端末が無線リソース割当てのためにどのフレームおよび対応するサブフレームを監視すべきかを示す。それ故、グループ内の端末は、端末が割り当てられるグループに関連する制御チャネルを監視する。グループの端末は、以下にさらに説明するように、リソース割当て制御チャネル内の情報に基づいて、無線リソースが端末に割り当てられたか否かを判定することができる。各端末に割り当てられたリソースは、同様に以下にさらに説明する暗黙のまたは明示のマッピングに基づいて判定することができる。
【００１５】
一実施形態の場合には、１つまたは複数の各グループは、特定のフレームを構成するすべてのサブフレームより少ない数のサブフレームに割り当てられる。この場合、少なくとも１つの割り当てられたサブフレームの無線リソース割当て制御チャネルは、各グループに割り当てられる。一般に、異なるグループは、異なるサブフレームに割り当てられる。ある実施形態の場合には、２つ以上のグループを同じサブフレームに割り当てることができる。２つ以上のグループが同じサブフレームに割り当てられる実施形態の場合には、グループは同じサブフレーム内の異なるリソース割当て制御チャネルに割り当てられる。
【００１６】
図２の場合には、例えば、第１のグループに関連する第１の制御チャネルは、フレーム２１０の対応するサブフレーム２１２に割り当てられる。通常、第１のグループを、そのフレーム内の複数のサブフレームに割り当てることができるが、そのすべてのサブフレームに割り当てることはできない。また、通常、各グループは、シーケンス内の異なるフレーム内のサブフレームに割り当てられる。図２の場合には、例えば、グループをフレーム２１０内のサブフレーム２１２およびフレーム２３０内のサブフレーム２３２に割り当てることができる。
【００１７】
通常、フレームは、リソース割当て制御チャネルを読み出すためのフレームの繰り返しシーケンスの一部である。それ故、各グループを、フレームの繰り返しシーケンス内でフレームを構成するすべてのサブフレームより少ないサブフレームに割り当てることができる。ある実施形態の場合には、グループ／サブフレーム割当ては、周期的に行われ、他の実施形態の場合には、割当ては周期的に行われない。それ故、グループを複数のフレームのシーケンス内の同じフレーム内の同じサブフレームに割り当てることができる。例えば、あるグループは、フレームの各シーケンス内の第１のフレーム内の第１のサブフレームに割り当てられる。他の実施形態の場合には、あるグループを、フレームのシーケンス内の同じフレーム内の異なるサブフレームに割り当てることができる。例えば、あるグループは、フレームの第１のシーケンス内の第１のフレーム内の第１のサブフレームに割り当てられ、そのグループは、フレームの第２のシーケンス内の第１のフレーム内の第２のサブフレームに割り当てられる。他の実施形態の場合には、あるグループは、フレームのシーケンスの異なるフレーム内の同じサブフレームに割り当てられる。例えば、あるグループは、フレームの第１のシーケンス内の第１のフレーム内の第１のサブフレームに割り当てられ、次に、そのグループは、フレームの第２のシーケンス内の第２のフレーム内の第１のサブフレームに割り当てられる。より一般的には、あるグループを、フレームの連続しているシーケンス内のｎ番目のサブフレーム毎に割り当てることができる。
【００１８】
異なるタイプの情報を制御チャネルにより送ることができる。情報の１つのタイプは、無線リソース割当て制御情報である。他のタイプとしては、変調フォーマット、符号化率およびＨＡＲＱ情報等がある。制御チャネル情報のもう１つのタイプは、例えば、ＡＣＫ／ＮＡＣＫシグナル伝達情報のようなフィードバックである。通常、端末が送信するフィードバック制御情報は、無線リソース割当てを示す制御チャネル以外の異なる制御チャネル上に位置する。無線リソース割当てに関連しない情報は、例えば、無線リソース割当て制御チャネル内の無線リソース表示で送ることができる。別の方法としては、非無線リソース割当て情報を、サブフレームの別の部分内に表示することができるし、または端末により先験的に知ることができる。
【００１９】
図３の場合には、例えば、フィードバック制御チャネル情報は、ビットマップ３１６により送られる。例えば、ＡＣＫ／ＮＡＣＫ情報のような、このようなフィードバック情報は、グループ内の端末による前の送信のためのものであり、ネットワーク・エンティティが送信した送信のためのグループ内の端末による前の受信のためのものである。一実施形態の場合には、グループ内の各端末は、ビットマップ内のある位置に割り当てられるが、この場合、端末は、フィードバック情報を入手するために、制御チャネル内のその割り当てられたビットマップ位置を読み出す。
【００２０】
無線リソースは、制御チャネル内に無線リソース割当て制御情報を含むグループの少なくとも１つの端末に割り当てることができる。通常、リソース割当て情報は、グループの対応する端末に無線リソースの異なる部分を同時に割り当てることができる。リソース割当ては、アップリンクまたはダウンリンクに対するものであってもよい。図３の場合には、ダウンリンク割当ては、ダウンリンク・リソース割当て情報３１２により行われ、アップリンク割当ては、アップリンク・リソース割当て情報３１４により行われる。また、無線リソース割当て情報は、割り当てられた無線リソースが、２つ以上のサブフレーム内に位置していることを表示することができる。この場合、割り当てられたサブフレームは、アップリンクまたはダウンリンク上の同じフレームまたは異なるフレーム内に位置することができる。アップリンク・リソース割当ての場合には、無線リソース割当て情報は、フレーム／サブフレーム・オフセット情報を提供することができる。
【００２１】
ＥＵＴＲＡの場合には、無線リソースは、タイムスロットにより一組のサブキャリヤとして割り当てられる。それ故、Ｅ−ＵＴＲＡスケジューリング実施形態においては、例えば、無線リソース割当ては、指定の時間間隔に対するサブキャリヤの割当てを含む。ＵＭＴＳスケジューリング実施形態の場合には、無線リソース割当ては、指定の時間間隔に対する周波数チャネル内にチャネル化コードの割当てを含む。これらの無線リソース割当ては、単に例示としてのものであって、本発明の主題を制限するためのものではない。
【００２２】
通常、制御チャネルの無線リソース割当て情報は、無線リソースが割り当てられた少なくとも１つの端末を識別する。一実施形態の場合には、リソースが割り当てられた１つまたは複数の端末は、制御チャネル内の情報により識別される。他の実施形態の場合には、この識別は、少なくとも１つの端末に割り当てられたグループ識別である。より特定の実施形態の場合には、リソースが割り当てられた端末が識別され、端末が識別される順番は、どのリソースが割り当てられたのかを指示する。例えば、コードが参照した端末により、または制御チャネル割当て情報内の他の識別子により、あるグループ内の５つの端末のうちの３つが、あるリソースに割り当てられたと識別された場合には、第１の参照された端末に第１の一意の予め定義した無線リソースが割り当てられ、第２の参照された端末に第２の一意の予め定義した無線リソースが割り当てられ、第３の参照された端末に第３の一意の予め定義した無線リソースが割り当てられる。この場合、一意の予め定義した無線リソースは、グループ内の端末により先験的に分かる。それ故、この第１の実施形態の場合には、割当てが行われた端末の識別だけをスケジューラによりグループに送るだけでよい。図４は、データ・チャネル４３０内で一意の予め定義した無線リソースにマッピングされる位置を含むリソース割当てビットマップ４２０を有する制御チャネル４１０を含むサブチャネル４００を示す。より詳細に説明すると、リソース割当て位置４２２は、無線リソース４３２と関連していて、ビットマップ位置４２４は、無線リソース４３４と関連している。他の各ビットマップ位置も、対応する無線リソースと関連している。
【００２３】
他の実施形態の場合には、制御チャネル割当て情報は、どのリソースが割り当てられたのかを示す各端末参照と関連している追加情報を含むことができる。この他の実施形態の場合には、各割当てに対して、制御チャネル情報は、端末を識別し、割り当てられた無線リソースを識別しなければならない。図５は、データ・チャネル５３０内で一意の予め定義した無線リソースにマッピングされる位置を含むリソース割当てビットマップ５２０を有する制御チャネル５１０を含むサブチャネル５００を示す。より詳細に説明すると、リソース割当て位置５２２は、無線リソース５３２を定義している追加のビットを含み、ビットマップ位置４２４は、無線リソース５３４を定義している追加のビットを含む。無線リソースを定義するために追加のビットを使用すると、無線リソースをスケジューリングし割り当てる際により大きな柔軟性を提供することができる。
【００２４】
他の実施形態の場合には、制御チャネル割当て情報は、どこでリソース割当てを入手すべきかを示す各端末と関連する追加の（ポインタ）情報を含む。図６は、データ・チャネル６３０内で一意の予め定義した無線リソースへのポインタを含む位置を含むリソース割当てビットマップ６２０を有する制御チャネル６１０を含むサブチャネル６００を示す。より詳細には、リソース割当て位置６２２は、無線リソース６３２を定義し、識別する位置６２６をポイントする追加のビットを含む。リソース割当て位置６２４は、無線リソース６３４を定義し、識別する位置６２８をポイントする追加のビットを含む。
【００２５】
他の実施形態の場合には、グループ内の各端末は、割当て制御チャネルの一部であるビットマップ内のある位置と関連している。図３の場合には、例えば、グループ内の５つの端末は、それぞれアップリンクおよびダウンリンク・リソース割当て制御チャネル内の対応する位置と関連している。例えば、各アップリンクおよびダウンリンク割当てチャネル内で、第１の端末は第１の位置３１８を読み出し、第２の端末は第２の位置３２２を読み出し、以下同様に行われる。一実施形態の場合には、各端末が先験的に知っている一意の予め定義した無線リソースは、各ビットマップ位置と関連している。この例示としての実施形態によれば、ビットマップは、単に割当てが行われたか否かを表示するためだけのものである。
【００２６】
一実施形態の場合には、通信端末は、第１および第２のグループにグループ分けされる。例えば、一方のグループは、周波数ダイバース無線リソースに関連することができ、他方のグループは、周波数選択無線リソースに関連することができる。ある例示としての用途の場合には、ある端末は、第１の送信のために周波数選択グループに割り当てられ、再送信のために周波数ダイバース・グループに割り当てられる。別の方法としては、端末を、第１の送信のために周波数選択グループに割り当てることができ、再送信のために周波数ダイバース・グループに割り当てることができる。他の用途の場合には、あるグループは圧縮情報を受信するためのものであってもよく、他のグループは圧縮していない情報を受信するためのものであってもよい。また、複数のグループ分けを、端末がデータおよび音声の両方を通信しているか否か、およびより一般的には、端末が長いおよび短いデータ・パケットに両方を使用して通信しているか否かに基づいて行うことができる。また、端末を過負荷状態を解決するために２つ以上のグループにグループ分けすることもできる。また、端末は、本明細書に明示していない他の理由のために複数のグループにグループ分けすることもできる。
【００２７】
端末が割り当てられる第１および第２のグループを、同じまたは異なるフレーム内の同じサブフレームまたは異なるサブフレームに割り当てることができる。端末が２つ以上のグループにグループ分けされるいくつかの実施形態の場合には、第１および第２のグループは、同じまたは異なるフレームの全数以下のサブフレームに割り当てられか、または関連付けられる。
【００２８】
一実施形態の場合には、端末は、第１および第２のグループに割り当てられる。この場合、第１および第２のグループは、同じフレームの同じサブフレームに割り当てられる。このようなグループ分け割当ては、圧縮されたおよび圧縮されていない通信を使用する端末に適している。この例示としてのグループ分け割当ては、また、音声およびデータ・サービスを同時に使用する端末に適している。例示としてのグループ分けのもう１つの用途は、過負荷状態を解決することである。過負荷状態は、特定のグループ内の端末が特定のサブフレーム内のグループが、入手可能なリソースよりも多くのリソースを要求した場合に起こる場合がある。それ故、一次グループと関連するサブフレーム内でリソースを入手することができない場合には、端末は、二次グループに関連する異なるサブフレーム内のリソースを使用することができる。一実施形態の場合には、端末は、第１および第２のグループに割り当てられる。この場合、第１および第２のグループは、同じフレーム内の異なるサブフレームに割り当てられる。このようなグループ分け割当ては、音声およびデータ・サービスを同時に使用する端末に適している。この例示としてのグループ分けのもう１つの用途は、過負荷状態を解決することである。他の実施形態の場合には、端末は、第１および第２のグループに割り当てられる。この場合、第１および第２のグループは、異なるフレームの同じまたは異なるサブフレームに割り当てられる。また、このようなグループ分け割当ては、音声およびデータ・サービスを同時に使用する端末に適している。
【００２９】
端末が第１および第２のグループに割り当てられる一実施形態の場合には、制御チャネルは、第１および／または第２のグループの少なくとも１つのサブフレームに割り当てられる。一実施形態の場合には、第１および第２のグループは、共通のフレームの共通のサブフレームに割り当てられ、異なる制御チャネルは、第１および第２のグループ内の少なくとも１つのサブフレームに割り当てられる。制御チャネルは、リソース割当て制御チャネルであってもよいし、なくてもよい。
【００３０】
端末が第１および第２のグループに割り当てられる他の実施形態の場合には、リソース割当て制御チャネルは、第１および／または第２のグループの少なくとも１つのサブフレームに割り当てられ、無線リソースは、リソース割当て制御チャネルを通して第１および第２のグループ内のグループ分けされた端末に割り当てられる。割り当てられた無線リソースは、制御チャネルと同じサブフレーム内に位置していてもよいし、および／または制御チャネルが位置するサブフレームと同じまたは異なるフレームの１つまたは複数の異なるサブフレーム内に位置してもよい。他の実施形態の場合には、割り当てられた無線リソースは、２つのサブフレーム・グループの少なくとも１つ内に位置している。この場合、各サブフレーム・グループは、少なくとも１つのサブフレームを含み、第１および第２の各グループは、サブフレーム・グループの対応するものと関連している。割り当てられた無線リソースは、２つの異なるサブフレーム・グループのうちの少なくとも１つ内に位置していてもよいし、または割り当てられた無線リソースは、２つ以上の異なるサブフレーム・グループ内に位置していてもよい。
【００３１】
一実施形態の場合には、無線通信端末は、割り当てられた制御チャネル上の制御チャネル情報に基づいて無線リソース割当てを決定する。この場合、制御チャネル情報は、端末への第１および第２の無線リソースのすべての可能な割当てを表示する。より詳細には、第１および第２のリソースの一方を割り当てることもできるし、または第１および第２の両方のリソースを割り当てることもできるし、または第１および第２のリソースの両方を割り当てないこともできる。
【００３２】
一実施形態の場合には、無線リソース割当ては、第１および／または第２のサブフレーム内で受信した制御チャネル情報に基づいて決定される。一実施形態の場合には、例えば、アップリンク無線リソース割当ては、第１のサブフレーム内で受信した制御チャネル情報に基づいて決定され、ダウンリンク無線リソース割当ては、第２のサブフレーム内で受信した制御チャネル情報に基づいて決定される。例えば、変調フォーマット、符号化率等のような非リソース割当て情報も、制御チャネルを通して送ることができ、端末に割り当てられた１つまたは複数の無線リソースに対して端末により決定することができる。一実施形態の場合には、非リソース割当て情報は、サブフレームのデータ・チャネル部分内に位置することができる。この場合、非リソース割当て情報の位置は、端末が先験的に知っていて、または情報は非リソース割当て情報の位置を示す制御チャネルに含まれている。
【００３３】
一実施形態の場合には、無線通信端末は、第１および第２の対応する制御チャネルを監視することにより、自身が第１および第２の無線リソースを割り当てられたか否かを判定する。ある特定の実施形態の場合には、端末は、第１の無線リソースが割り当てられなかった場合だけ、自身が第２の無線リソースを割り当てられたか否かを判定する。他の特定の実施形態の場合には、端末は、第１の制御チャネルを通して第１の無線リソースが割り当てられ、その後で、端末は、第１の制御チャネルを介して割り当てられた無線リソースに関連する条件が満たされない場合だけ、第２の制御チャネルを監視する。例えば、端末が第１の無線リソース上での送信または受信に失敗した場合、端末は、別の無線リソース割当てのための第２の制御チャネルを監視する。
【００３４】
他の実施形態の場合には、無線通信端末は、無線通信ネットワーク上の無線リソース割当て情報のための第１の制御チャネルを監視し、第１の制御チャネルを監視しながら、端末は、同じ無線通信ネットワーク上の第２の制御チャネルを監視するための情報を入手する。一実施形態の場合には、第２の制御チャネルは、第１の制御チャネルとは異なる。この場合、端末は、第１および第２の制御チャネルの一方または両方を監視することができる。他の実施形態の場合には、端末は、第１の制御チャネルの代わりに第２の制御チャネルを監視する。この場合、第２の制御チャネルは、第１の制御チャネルを修正したものである。例示としての修正は、例えば、修正した制御チャネルが、基地局スケジューラのようなインフラストラクチャ・エンティティのところで、端末がすでに関連しているグループと関連するリソースを割り当てることができるような修正である。この追加の制御チャネル監視情報は、放送制御または他のチャネルを読み出すことにより、または専用メッセージを受信することにより入手することができる。二次グループへの割当ては、端末がすでに使用したサービスの他に、例えば、音声またはデータのようなサービスを収容することができる。このような以降の割当ても、過負荷状態を解決するためのものであってもよい。端末は、無線リソース割当てまたは他の情報のために第２のチャネルを監視することができる。
【００３５】
一実施形態の場合には、端末は、端末が監視した制御チャネル情報内の端末に割り当てられた２つの異なる識別のうちの少なくとも一方により、端末が識別されたか否かを判定する。例えば、端末に、スケジューラにより１つまたは複数の識別を割り当てることができる。この場合、各識別は、スケジューラがすでに端末を関連付けた対応するグループと関連付けられる。それ故、端末は、例えば、どのアップリンク、ダウンリンク、音声、データ、最初の送信、再送信等のどの無線リソースが割り当てられたか否かを判定するために、１つまたは複数の識別を使用することができる。
【００３６】
本開示およびその最善のモードを、発明者による占有を確立し、通常の当業者であれば本発明を制作し、使用することができるような方法で説明してきたが、本明細書に記載した例示としての実施形態には多くの等価物が存在し、例示としての実施形態には限定されず、添付の特許請求の範囲だけにより定義される本発明の範囲および精神から逸脱することなしに、多くの修正および変更を行うことができることを理解することができるだろう。
【図面の簡単な説明】
【００３７】
【図１】例示としての無線通信ネットワーク。
【図２】それぞれが複数のサブフレームを有する無線フレームの例示としてのシーケンス。
【図３】制御およびデータ・チャネル部分を含む例示としてのサブフレーム。
【図４】例示としての第１のリソース割当てスキーム。
【図５】例示としてのもう１つのリソース割当てスキーム。
【図６】例示としてのさらにもう１つのリソース割当てスキーム。
【図１】
2009510975.tif 000003
【図２】
2009510975.tif 000004
【図３】
2009510975.tif 000005
【図４】
2009510975.tif 000006
【図５】
2009510975.tif 000007
【図６】
2009510975.tif 000008
【国際調査報告】
2009510975.tif 000009
2009510975.tif 000010
2009510975.tif 000011
2009510975.tif 000012
2009510975.tif 000013